Podtech/llm-jp-corpus-v4-ja_patent huggingface dataset:
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
天板を載置する寝台本体と、
前記寝台本体に設けられて前記天板と接触した状態、または前記天板に設けられて前記寝台本体と接触した状態で、前記天板が前記寝台本体の上で走行するのをガイドする走行ガイドと、
前記寝台本体に設けられた前記走行ガイドを前記寝台本体に退避させる操作、または前記天板に設けられた前記走行ガイドを前記天板に退避させる操作を行う操作部と、
を備えた寝台装置。
【請求項２】
天板を載置する寝台本体と、
前記寝台本体の上で回転する走行ローラを有する天板と、
前記寝台本体に設けられて前記天板に接触させる、または前記天板に設けられて前記寝台本体に接触させることで、前記天板が前記寝台本体の上で走行するのをガイドする走行ガイドと、
前記寝台本体に設けられた前記走行ガイドを前記寝台本体に退避させる操作、または前記天板に設けられた前記走行ガイドを前記天板に退避させる操作を行う操作部と、
を備えた寝台装置。
【請求項３】
前記操作部は、前記寝台本体に設けられ、
前記天板に設けられた前記走行ガイドは、前記寝台本体のガイド面に接触可能なガイドローラ又は摺動部材である請求項１又は２に記載の寝台装置。
【請求項４】
前記寝台本体に設けられた前記走行ガイドは、前記天板のガイド面に接触可能なガイドローラ又は摺動部材である請求項１又は２に記載の寝台装置。
【請求項５】
前記走行ガイドは、弾性材により蓄勢保持され、
前記操作部の操作に従った前記弾性材の蓄勢解放により前記走行ガイドが退避するように構成された請求項１乃至４のうちいずれか一項に記載の寝台装置。
【請求項６】
前記天板に設けられた前記走行ガイドは、前記弾性材により前記天板の左右方向に蓄勢保持され、
前記操作部の操作に従った前記弾性材の蓄勢解放により、前記走行ガイドが前記天板の内部に退避するように構成された請求項５に記載の寝台装置。
【請求項７】
前記天板に設けられた前記走行ガイドは、前記弾性材により前記天板の上下方向に蓄勢保持され、
前記操作部の操作に従った前記弾性材の蓄勢解放により、前記走行ガイドが前記天板の内部に退避するように構成された請求項５に記載の寝台装置。
【請求項８】
前記操作部の操作に従った前記弾性材の蓄勢解放により、前記天板に設けられた前記走行ガイドを退避させるとともに、前記天板を走行させる駆動機構におけるモータ及び駆動ローラの連結を解除する構成とする請求項６または７に記載の寝台装置。
【請求項９】
天板を備える寝台装置と、前記天板を挿入可能な開口部を有する架台とを備える医用画像診断装置であって、
前記架台は、
前記天板と接触した状態で、前記天板が前記開口部内を走行するのをガイドする走行ガイドと、
前記走行ガイドを前記架台内に退避させる操作を行う操作部と、
を備えた医用画像診断装置。
【請求項１０】
天板を備える寝台装置と、架台とを備える医用画像診断装置であって、
前記架台は、
前記天板の走行ローラを支持する走行レールと、
前記天板に接触させることで、前記天板の前記走行ローラが前記走行レールの上で走行するのをガイドする走行ガイドと、
前記走行ガイドを前記架台に退避させる操作を行う操作部と、
を備えた医用画像診断装置。
【請求項１１】
天板を備える寝台装置と、架台とを備えた医用画像診断装置であって、
前記寝台装置は、
前記天板を載置する寝台本体と、
前記寝台本体の上で回転する走行ローラを有する天板と、
前記寝台本体に設けられて前記天板に接触させる、または前記天板に設けられて前記寝台本体に接触させることで、前記天板が前記寝台本体の上で走行するのをガイドする走行ガイドと、
前記寝台本体に設けられた前記走行ガイドを前記寝台本体に退避させる操作、または前記天板に設けられた前記走行ガイドを前記天板に退避させる操作を行う操作部と、
を備え、
前記架台は、
前記天板の前記走行ローラを支持する走行レール、
を備えた医用画像診断装置。
【手続補正２】
【補正対象書類名】明細書
【補正対象項目名】００２５
【補正方法】変更
【補正の内容】
【００２５】
ＲＦ送信器３２は、シーケンスコントローラ３４からの指示に基づいてＲＦパルスを生成する。生成したＲＦパルスはＷＢコイル１２に伝送され、患者に印加される。ＲＦパルスの印加によって患者からＭＲ信号が発生する。このＭＲ信号をローカルコイル２０又はＷＢコイル１２が受信する。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
遊技媒体の払出数、および役物の作動中の遊技媒体の払出数である役物払出数のそれぞれについて予め定められた基準集計期間における累計を記憶する第１払出数記憶手段と、
前記払出数および前記役物払出数のそれぞれについて前記基準集計期間ごとの累計を複数の前記基準集計期間分個別に記憶する第２払出数記憶手段と、
前記払出数および前記役物払出数のそれぞれについて前記複数の基準集計期間に相当する所定集計期間における累計を記憶する第３払出数記憶手段と、
前記第３払出数記憶手段に記憶されている前記払出数の累計および前記役物払出数の累計に基づいて役物比率を算出する比率算出手段と、
表示装置の表示を制御する表示制御手段とを備え、
前記比率算出手段が、
前記基準集計期間が経過する毎に、前記第１払出数記憶手段に記憶されている前記基準集計期間における前記払出数の累計および前記基準集計期間における前記役物払出数の累計を前記第２払出数記憶手段に記憶させ、前記所定集計期間が経過した以降は、前記第１払出数記憶手段に記憶されている前記基準集計期間における前記払出数の累計を前記第２払出数記憶手段に最先に記憶された前記基準集計期間における前記払出数の累計に上書きして記憶させるとともに、前記第１払出数記憶手段に記憶されている前記基準集計期間における前記役物払出数の累計を前記第２払出数記憶手段に最先に記憶された前記基準集計期間における前記役物払出数の累計に上書きして記憶させ、
前記第１払出数記憶手段に記憶されている前記基準集計期間における前記払出数の累計および前記基準集計期間における前記役物払出数の累計を前記第２払出数記憶手段に記憶させると、前記第２払出数記憶手段に記憶されている前記払出数の総和を算出して前記第３払出数記憶手段に記憶させることによって前記払出数の累計を更新するとともに、前記第２払出数記憶手段に記憶されている前記役物払出数の総和を算出して前記第３払出数記憶手段に記憶させることによって前記役物払出数の累計を更新し、
前記基準集計期間が経過する毎に、前記第３払出数記憶手段に記憶されている前記払出数の累計および前記役物払出数の累計を更新してから前記役物比率を算出し、
前記表示制御手段が、
前記比率算出手段によって算出された前記役物比率の数値を前記表示装置に表示させることを特徴とする遊技機。
【請求項２】
遊技媒体の払出数、および第一種特別役物の作動中の遊技媒体の払出数である連続役物払出数のそれぞれについて予め定められた基準集計期間における累計を記憶する第１払出数記憶手段と、
前記払出数および前記連続役物払出数のそれぞれについて前記基準集計期間ごとの累計を複数の前記基準集計期間分個別に記憶する第２払出数記憶手段と、
前記払出数および前記連続役物払出数のそれぞれについて前記複数の基準集計期間に相当する所定集計期間における累計を記憶する第３払出数記憶手段と、
前記第３払出数記憶手段に記憶されている前記払出数の累計および前記連続役物払出数の累計に基づいて連続役物比率を算出する比率算出手段と、
表示装置の表示を制御する表示制御手段とを備え、
前記比率算出手段が、
前記基準集計期間が経過する毎に、前記第１払出数記憶手段に記憶されている前記基準集計期間における前記払出数の累計および前記基準集計期間における前記連続役物払出数の累計を前記第２払出数記憶手段に記憶させ、前記所定集計期間が経過した以降は、前記第１払出数記憶手段に記憶されている前記基準集計期間における前記払出数の累計を前記第２払出数記憶手段に最先に記憶された前記基準集計期間における前記払出数の累計に上書きして記憶させるとともに、前記第１払出数記憶手段に記憶されている前記基準集計期間における前記連続役物払出数の累計を前記第２払出数記憶手段に最先に記憶された前記基準集計期間における前記連続役物払出数の累計に上書きして記憶させ、
前記第１払出数記憶手段に記憶されている前記基準集計期間における前記払出数の累計および前記基準集計期間における前記連続役物払出数の累計を前記第２払出数記憶手段に記憶させると、前記第２払出数記憶手段に記憶されている前記払出数の総和を算出して前記第３払出数記憶手段に記憶させることによって前記払出数の累計を更新するとともに、前記第２払出数記憶手段に記憶されている前記連続役物払出数の総和を算出して前記第３払出数記憶手段に記憶させることによって前記連続役物払出数の累計を更新し、
前記基準集計期間が経過する毎に、前記第３払出数記憶手段に記憶されている前記払出数の累計および前記連続役物払出数の累計を更新してから前記連続役物比率を算出し、
前記表示制御手段が、
前記比率算出手段によって算出された前記連続役物比率の数値を前記表示装置に表示させることを特徴とする遊技機。
【請求項３】
特別演出状態を含む複数種類の演出状態の間で演出状態を移行させ、前記特別演出状態では予め定められた特別演出状態の終了条件が成立した場合に当該特別演出状態を終了させる特別演出状態制御手段と、
通常区間と有利区間とを含む複数種類の遊技区間の間で遊技区間を移行させ、前記有利区間においてクリアカウンタを更新して前記クリアカウンタの記憶値に基づいて前記有利区間を終了させて演出状態を初期化する初期化処理を実行する初期化手段と、
総遊技回数を記憶する総遊技回数記憶手段と、
前記有利区間の遊技回数の総数を記憶する有利区間遊技回数記憶手段と、
前記総遊技回数記憶手段に記憶されている前記総遊技回数および前記有利区間遊技回数記憶手段に記憶されている前記有利区間の遊技回数の総数に基づいて、前記総遊技回数に対する前記有利区間の遊技回数の総数の比率である有利区間滞在比率を算出する比率算出手段と、
表示装置の表示を制御する表示制御手段とを備え、
前記特別演出状態制御手段が、
前記有利区間において演出状態を前記特別演出状態に滞在させる場合が存在し、
前記初期化手段が、
前記通常区間において遊技区間を前記有利区間に移行させることが決定されたことに基づいて遊技区間を前記有利区間に移行させ、前記有利区間の終了時において演出状態が前記特別演出状態である場合には前記特別演出状態の終了条件が成立していなくても前記初期化処理を行って当該特別演出状態を終了させ、
前記比率算出手段が、
１回の遊技が行われる毎に前記総遊技回数記憶手段に記憶されている前記総遊技回数を更新し、前記有利区間において１回の遊技が行われる毎に前記有利区間遊技回数記憶手段に記憶されている前記有利区間の遊技回数の総数を更新する更新処理を行い、
１回の遊技が行われる毎に、前記総遊技回数を更新するとともに前記有利区間である場合に前記有利区間の遊技回数の総数を更新する前記更新処理を行ってから前記有利区間滞在比率を算出し、
前記表示制御手段が、
前記比率算出手段によって算出された前記有利区間滞在比率の数値を前記表示装置に表示させることを特徴とする遊技機。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
光源から被検眼の眼底へ励起光を照射させると共に，眼底からの蛍光を受光した受光素子からの信号に基づいて被検眼の眼底の第１蛍光造影画像を撮影する撮影制御手段と、
前記第１蛍光造影画像のうち、入力インターフェイスを介した操作入力によって検者から指定される一部の領域に、関心領域を設定する関心領域設定手段と、
前記第１蛍光造影画像の前記関心領域における輝度情報を取得し、取得した輝度情報に基づいて前記関心領域におけるコントラストが前記第１蛍光造影画像に対して伸長された第２蛍光造影画像を取得する取得手段と、
を有する眼底撮影装置。
【請求項２】
前記取得手段は、更に、前記第１蛍光造影画像における前記関心領域の輝度情報に基づいて少なくとも前記関心領域におけるブライトネスの補正量を取得し、前記第２蛍光造影画像として、前記関心領域におけるブライトネスが、前記補正量にて前記第１蛍光造影画像に対して調整された画像を取得する請求項１記載の眼底撮影装置。
【請求項３】
前記第１蛍光造影画像と、前記第２蛍光造影画像とを、モニタ上に同時に表示させる表示制御手段を更に有する請求項１または２記載の眼底撮影装置。
【請求項４】
前記撮影制御手段は、複数枚の前記第１蛍光造影画像を経時的に撮影し、
前記第１蛍光造影画像の撮影の都度、最新の前記第１蛍光造影画像をモニタへ表示させる表示制御手段と、
前記モニタ上に表示される前記第１蛍光造影画像上での位置および大きさが予め定められた領域における輝度情報のヒストグラムに基づいてコントラストおよびブライトネスの少なくとも一方に関する補正値を取得し、その後撮影される前記第１蛍光造影画像に対し、前記補正値を反映させる自動補正手段と、を更に有し、
前記取得手段は、前記第１蛍光造影画像に対する画像処理によって前記第２蛍光造影画像を得る請求項１から３のいずれかに記載の眼底撮影装置。
【手続補正書】
【提出日】令和1年7月31日(2019.7.31)
【手続補正１】
【補正対象書類名】明細書
【補正対象項目名】０００８
【補正方法】変更
【補正の内容】
【０００８】
（１）本発明は、外周面に複数種類の図柄が配列されている複数のリール（Ｒ１，Ｒ２，Ｒ３）と、
小役及びリプレイを含む複数種類の役の当否を決定する内部抽選を行う内部抽選手段（１２０）と、
遊技者による開始操作を検出するスタートスイッチ（２３０）と、
前記複数のリールに対応して設けられ、各リールを停止させるための停止操作を検出するストップスイッチ（２４０）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段（１３０）と、
前記複数のリールが停止した状態で、役ごとに予め定められた入賞形態を示す図柄組合せが有効ライン（Ｌ１）上に表示されたことに基づいて、役が入賞したと判定する入賞判定手段（１４０）と、
複数の遊技状態の間での遊技状態の移行に係る制御である遊技状態移行制御を実行する遊技状態移行制御手段（１７０）と、を備え、
前記複数のリールは、特定リールを含み、
前記遊技状態移行制御手段は、前記リール制御手段による前記リール停止制御によって所定の図柄組合せが有効ライン上に表示された場合に前記遊技状態移行制御を実行可能であり、
前記リール制御手段は、前記特定リールに係る前記リール停止制御において、
前記内部抽選手段による前記内部抽選の結果が前記小役又は前記リプレイの当選である場合、当選した該小役又は該リプレイの入賞形態を示す図柄組合せのうち前記特定リールにおいて有効ライン上に表示される図柄を停止可能であり、
前記内部抽選手段による前記内部抽選で前記複数種類の役のいずれにも当選しなかった場合、前記所定の図柄組合せを構成する図柄のうち前記特定リール上において表示される図柄を有効ライン上に表示する、ことを特徴とする。
【手続補正２】
【補正対象書類名】明細書
【補正対象項目名】００１２
【補正方法】変更
【補正の内容】
【００１２】
（２）また、本発明において、前記所定の図柄組合せは、複数の特定図柄組合せに含まれ、
前記遊技状態移行制御手段は、前記リール制御手段による前記リール停止制御によって前記複数の特定図柄組合せのいずれかが有効ライン上に表示された場合に、前記遊技状態移行制御によって前記複数の遊技状態のうち有効ライン上に表示された特定図柄組合せに対応する遊技状態に移行可能であり、
前記複数の特定図柄組合せは、前記ストップスイッチが検出した前記停止操作が特定タイミングである場合に、前記リール制御手段による前記リール停止制御によって有効ライン上に表示される前記特定リールの図柄がいずれも共通の図柄である、ことを特徴とする。
【手続補正３】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役及びリプレイを含む複数種類の役の当否を決定する内部抽選を行う内部抽選手段と、
遊技者による開始操作を検出するスタートスイッチと、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
複数の遊技状態の間での遊技状態の移行に係る制御である遊技状態移行制御を実行する遊技状態移行制御手段と、を備え、
前記複数のリールは、特定リールを含み、
前記遊技状態移行制御手段は、前記リール制御手段による前記リール停止制御によって所定の図柄組合せが有効ライン上に表示された場合に前記遊技状態移行制御を実行可能であり、
前記リール制御手段は、前記特定リールに係る前記リール停止制御において、
前記内部抽選手段による前記内部抽選の結果が前記小役又は前記リプレイの当選である場合、当選した該小役又は該リプレイの入賞形態を示す図柄組合せのうち前記特定リールにおいて有効ライン上に表示される図柄を停止可能であり、
前記内部抽選手段による前記内部抽選で前記複数種類の役のいずれにも当選しなかった場合、前記所定の図柄組合せを構成する図柄のうち前記特定リール上において表示される図柄を有効ライン上に表示する、
ことを特徴とする遊技機。
【請求項２】
前記所定の図柄組合せは、複数の特定図柄組合せに含まれ、
前記遊技状態移行制御手段は、前記リール制御手段による前記リール停止制御によって前記複数の特定図柄組合せのいずれかが有効ライン上に表示された場合に、前記遊技状態移行制御によって前記複数の遊技状態のうち有効ライン上に表示された特定図柄組合せに対応する遊技状態に移行可能であり、
前記複数の特定図柄組合せは、前記ストップスイッチが検出した前記停止操作が特定タイミングである場合に、前記リール制御手段による前記リール停止制御によって有効ライン上に表示される前記特定リールの図柄がいずれも共通の図柄である、
ことを特徴とする請求項１に記載の遊技機。
【請求項３】
前記内部抽選手段による前記内部抽選の結果に基づき遊技者にとって有利となる制御である有利制御を実行可能な有利制御手段を備え、
前記所定の図柄組合せは、第１図柄組合せであり、
前記内部抽選手段による前記内部抽選の結果は、第１結果と、第２結果と、を含み、
前記有利制御手段は、前記内部抽選手段による前記内部抽選の結果が前記第２結果である場合に、前記内部抽選手段による前記内部抽選の結果が前記第１結果である場合よりも前記有利制御を実行する確率が高く、
前記第１図柄組合せを構成する図柄と、前記内部抽選手段による前記内部抽選の結果が前記第２結果である場合に前記リール制御手段による前記リール停止制御によって有効ライン上に表示可能となる第２図柄組合せを構成する図柄と、は、前記特定リールにおいて表示される図柄がそれぞれ異なる図柄である、
ことを特徴とする請求項１又は２に記載の遊技機。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、複数種類の当選役のいずれかを当選役抽選により決定する当選役抽選手段と、
前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、
遊技の進行に応じて画像表示部に画像を表示する演出制御手段と、
を備え、
前記演出制御手段は、
前記スタートスイッチが操作されてから、少なくとも全ての前記ストップスイッチが操作されるまでに、特定の図柄に対応する色彩の示唆画像を表示する場合があり、
前記示唆画像が表示されており、全ての前記ストップスイッチの操作が終了した際に、前記特定の図柄が前記当選役の入賞判定に用いられる有効ライン上に表示されておらず、かつ、前記有効ライン以外の無効ライン上に前記特定の図柄が表示された場合、前記示唆画像を継続して表示することを特徴とする遊技機。
【請求項２】
スタートスイッチの操作に基づき、複数種類の当選役のいずれかを当選役抽選により決定する当選役抽選手段と、
前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、
遊技の進行に応じて画像表示部に画像を表示する演出制御手段と、
を備え、
前記演出制御手段は、
前記スタートスイッチが操作されてから、少なくとも全ての前記ストップスイッチが操作されるまでに、特定の図柄に対応する色彩の示唆画像を表示する場合があり、
前記示唆画像が表示されており、全ての前記ストップスイッチの操作が終了した際に、前記特定の図柄が前記当選役の入賞判定に用いられる有効ライン上に表示された場合、および、前記特定の図柄が前記有効ライン上に表示されていない場合、前記示唆画像を継続して表示することを特徴とする遊技機。
【請求項３】
スタートスイッチの操作に基づき、複数種類の当選役のいずれかを当選役抽選により決定する当選役抽選手段と、
前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、
遊技の進行に応じて画像表示部に画像を表示する演出制御手段と、
を備え、
前記演出制御手段は、
前記スタートスイッチが操作されてから、少なくとも全ての前記ストップスイッチが操作されるまでに、特定の図柄に対応する色彩の示唆画像を表示する場合があり、
前記示唆画像が表示されており、全ての前記ストップスイッチの操作が終了した際に、前記特定の図柄が前記当選役の入賞判定に用いられる有効ライン上に表示され、かつ、前記有効ライン以外の無効ライン上に前記特定の図柄が表示された場合、前記特定の図柄に対応する色彩の報知画像を前記画像表示部に表示することを特徴とする遊技機。
【手続補正２】
【補正対象書類名】明細書
【補正対象項目名】０００８
【補正方法】変更
【補正の内容】
【０００８】
上記課題を解決するために、本発明の遊技機は、スタートスイッチの操作に基づき、複数種類の当選役のいずれかを当選役抽選により決定する当選役抽選手段と、前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、遊技の進行に応じて画像表示部に画像を表示する演出制御手段と、を備え、前記演出制御手段は、前記スタートスイッチが操作されてから、少なくとも全ての前記ストップスイッチが操作されるまでに、特定の図柄に対応する色彩の示唆画像を表示する場合があり、前記示唆画像が表示されており、全ての前記ストップスイッチの操作が終了した際に、前記特定の図柄が前記当選役の入賞判定に用いられる有効ライン上に表示されておらず、かつ、前記有効ライン以外の無効ライン上に前記特定の図柄が表示された場合、前記示唆画像を継続して表示する。
【手続補正３】
【補正対象書類名】明細書
【補正対象項目名】００１０
【補正方法】変更
【補正の内容】
【００１０】
また、本発明の遊技機は、スタートスイッチの操作に基づき、複数種類の当選役のいずれかを当選役抽選により決定する当選役抽選手段と、前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、遊技の進行に応じて画像表示部に画像を表示する演出制御手段と、
を備え、前記演出制御手段は、前記スタートスイッチが操作されてから、少なくとも全ての前記ストップスイッチが操作されるまでに、特定の図柄に対応する色彩の示唆画像を表示する場合があり、前記示唆画像が表示されており、全ての前記ストップスイッチの操作が終了した際に、前記特定の図柄が前記当選役の入賞判定に用いられる有効ライン上に表示され、かつ、前記有効ライン以外の無効ライン上に前記特定の図柄が表示された場合、前記特定の図柄に対応する色彩の報知画像を前記画像表示部に表示する。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、複数種類の当選役のいずれかを当選役抽選により決定する当選役抽選手段と、
前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、
遊技の進行に応じて画像表示部に画像を表示する演出制御手段と、
を備え、
前記演出制御手段は、
全ての前記ストップスイッチの操作が終了した際に、特定の図柄が前記当選役の入賞判定に用いられる有効ライン以外の無効ライン上に表示された場合、前記回転リールに配列された複数種類の図柄のいずれにも対応しない色彩の報知演出を実行することを特徴とする遊技機。
【請求項２】
前記演出制御手段は、
全ての前記ストップスイッチの操作が終了した際に、前記特定の図柄が前記有効ライン上に表示されておらず、かつ、前記無効ライン上に前記特定の図柄が表示された場合、前記回転リールに配列された複数種類の図柄のいずれにも対応しない色彩の報知演出を実行することを特徴とする請求項１に記載の遊技機。
【手続補正２】
【補正対象書類名】明細書
【補正対象項目名】０００８
【補正方法】変更
【補正の内容】
【０００８】
上記課題を解決するために、本発明の遊技機は、スタートスイッチの操作に基づき、複数種類の当選役のいずれかを当選役抽選により決定する当選役抽選手段と、前記スタートスイッチの操作に応じて、複数種類の図柄がそれぞれ配列された複数の回転リールを回転制御し、回転している回転リールに対応するストップスイッチの操作に応じ、前記当選役抽選手段の抽選結果に基づいて、操作された前記ストップスイッチに対応する回転リールをそれぞれ停止制御するリール制御手段と、遊技の進行に応じて画像表示部に画像を表示する演出制御手段と、を備え、前記演出制御手段は、全ての前記ストップスイッチの操作が終了した際に、特定の図柄が前記当選役の入賞判定に用いられる有効ライン以外の無効ライン上に表示された場合、前記回転リールに配列された複数種類の図柄のいずれにも対応しない色彩の報知演出を実行する。
【手続補正３】
【補正対象書類名】明細書
【補正対象項目名】０００９
【補正方法】変更
【補正の内容】
【０００９】
また、前記演出制御手段は、全ての前記ストップスイッチの操作が終了した際に、前記特定の図柄が前記有効ライン上に表示されておらず、かつ、前記無効ライン上に前記特定の図柄が表示された場合、前記回転リールに配列された複数種類の図柄のいずれにも対応しない色彩の報知演出を実行するとよい。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
エレクトロスピニング法によって製造された生分解性繊維からなる骨再生用材料であって、
前記生分解性繊維は実質的にポリ乳酸-グリコール酸共重合体とβ相リン酸三カルシウム微粒子のみからなり、
前記β相リン酸三カルシウム微粒子は、前駆体である非晶質リン酸カルシウムを、リン酸三カルシウムのβ相がα相に転移する実質的に直前の温度で焼成することによって、非晶質部分が実質的に存在していない高純度のβ相リン酸三カルシウムとして調製されており、
前記β相リン酸三カルシウム微粒子は、カルシウムイオンとポリ乳酸-グリコール酸共重合体＿とが化学的に結合していない状態で、前記生分解性繊維中に分散している、
前記生分解性繊維からなる骨再生用材料。
【請求項２】
前記生分解性繊維は、実質的にポリ乳酸-グリコール酸共重合体約３０〜６０重量％と、β相リン酸三カルシウム微粒子約７０〜４０重量％のみからなり、前記β相リン酸三カルシウム微粒子は、前記生分解性繊維中で凝集せずにほぼ均一に分散している、請求項１＿に記載の骨再生用材料。
【請求項３】
前記ポリ乳酸-グリコール酸共重合体は、L体のみを含む乳酸とグリコール酸との共重合体である、請求項１又は２に記載の骨再生用材料。
【請求項４】
前記ポリ乳酸-グリコール酸共重合体は、L体とD体が混在した乳酸とグリコール酸との共重合体である、請求項１〜３のいずれか一項に記載の骨再生用材料。
【請求項５】
前記ポリ乳酸-グリコール酸共重合体の乳酸とグリコール酸の比率は略８５〜５０：１５〜５０である、請求項１〜４のいずれか一項に記載の骨再生用材料。
【請求項６】
前記β相リン酸三カルシウム粒子の外径は０．５〜４μｍである、請求項１〜５のいずれか一項に記載の骨再生用材料。
【請求項７】
前記生分解性繊維の外径は１０〜１５０μmである、請求項１〜６のいずれか一項に記載の骨再生用材料。
【請求項８】
生分解性繊維からなる骨再生用材料の製造方法であって、
前駆体である非晶質リン酸カルシウムを、リン酸三カルシウムのβ相がα相に転移する実質的に直前の温度で焼成することによって調製し、
ポリ乳酸-グリコール酸共重合体をガラス転移点以上の温度でニーダーで加熱して軟化させた後、前記ニーダーに非晶質部分が実質的に存在していない高純度のβ相リン酸三カルシウムの微粒子を投入して熱的かつ機械的エネルギーをかけて混練しその後冷却固化することによって前記ポリ乳酸-グリコール酸共重合体中に前記β相リン酸三カルシウム微粒子が凝集せずに略均一に分散した複合体を作製し、
前記複合体を溶媒で溶かすことによって紡糸溶液を作製し、
前記紡糸溶液をエレクトロスピニング法で紡糸することによって、前記β相リン酸三カルシウムのカルシウムイオンと前記ポリ乳酸-グリコール酸共重合体＿とが化学的に結合していない状態で、前記β相リン酸三カルシウム微粒子が分散している生分解性繊維を作製する、
生分解性繊維からなる骨再生用材料の製造方法。
【請求項９】
前記ニーダーに前記ポリ乳酸-グリコール酸共重合体約３０〜６０重量％、前記β相リン酸三カルシウム微粒子約７０〜４０重量％となる量投入して混練する、請求項８に記載の骨再生用材料の製造方法。
【請求項１０】
前記ポリ乳酸-グリコール酸共重合体は、L体のみを含む乳酸とグリコール酸との共重合体である請求項８又は９に記載の骨再生用材料の製造方法。
【請求項１１】
前記ポリ乳酸-グリコール酸共重合体は、L体とD体が混在した乳酸とグリコール酸との共重合体である請求項８〜１０のいずれか一項に記載の骨再生用材料の製造方法。
【請求項１２】
前記ポリ乳酸-グリコール酸共重合体の乳酸とグリコール酸の比率は略８５〜５０：１５〜５０である請求項８〜１１のいずれか一項に記載の骨再生用材料の製造方法。
【請求項１３】
前記β相リン酸三カルシウム粒子の外径は０．５〜４μｍである請求項８〜１２のいずれか一項に記載の骨再生用材料の製造方法。
【請求項１４】
前記生分解性繊維の外径は１０〜１５０μmである請求項８〜１３のいずれか一項に記載の骨再生用材料の製造方法。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
小役、リプレイを含む複数種類の役の当否を決定する内部抽選を行う内部抽選手段と、
外周面に複数種類の図柄が配列されている複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役の入賞に伴い遊技媒体を払い出す払出制御手段と、
前記リプレイが入賞したことに基づいて遊技者の所有する遊技媒体を要さずに次回の遊技を行わせるリプレイ処理手段と、
遊技媒体の払出数の総数である払出総数、および第二種特別役物を含む役物の作動中の遊技媒体の払出数の総数である役物払出総数を記憶する払出数記憶手段と、
前記払出総数および前記役物払出総数に基づいて、役物比率を算出する比率算出手段と、
表示装置の表示を制御する表示制御手段とを備え、
前記リール制御手段が、
前記第二種特別役物の作動中の遊技状態において前記小役と前記リプレイとがともに当選した状態では、前記リプレイに優先して前記小役が入賞するように回転中のリールを停止させ、
前記表示制御手段が、
前記比率算出手段によって算出された前記役物比率の数値を前記表示装置に表示させることを特徴とする遊技機。
【請求項２】
請求項１において、
前記表示制御手段が、
前記比率算出手段によって算出された前記役物比率の数値が予め定められた上限値未満であった場合には前記役物比率の数値を第１の態様で前記表示装置に表示させ、
前記比率算出手段によって算出された前記役物比率の数値が前記上限値以上であった場合には前記役物比率の数値を第２の態様で前記表示装置に表示させることを特徴とする遊技機。
【請求項３】
小役を含む複数種類の役の当否を決定する内部抽選を行う内部抽選手段と、
外周面に複数種類の図柄が配列されている複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役の入賞に伴い遊技媒体を払い出す払出制御手段と、
遊技媒体の払出数の総数である払出総数、および役物の作動中の遊技媒体の払出数の総数である役物払出総数を記憶する払出数記憶手段と、
前記払出総数および前記役物払出総数に基づいて、役物比率を算出する比率算出手段と、
表示装置の表示を制御する表示制御手段とを備え、
前記表示制御手段が、
前記比率算出手段によって算出された前記役物比率の数値を前記表示装置に表示させ、
前記比率算出手段によって算出された前記役物比率の数値が予め定められた上限値未満であった場合には前記役物比率の数値を第１の態様で前記表示装置に表示させ、
前記比率算出手段によって算出された前記役物比率の数値が前記上限値以上であった場合には前記役物比率の数値を第２の態様で前記表示装置に表示させることを特徴とする遊技機。
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
第１光源が実装された第１照明基板と、
第２光源が実装され、前記第１照明基板よりも遊技機本体の中心側かつ前記第１照明基板の近傍に配置される第２照明基板と、
前記第１光源からの照明光により背面側から照明される前面パネルであり、前記第１照明基板以上の大きさで形成され、前記第１照明基板および前記第２照明基板よりも前方に配置される前面パネルと、
前記第１光源からの照明光の光路を囲む側壁を有するリフレクタと、を備え、
前記前面パネルの一部は、前記遊技機本体を正面視した場合に水平方向において前記第２照明基板の一部と重複するように配置され、
前記第２照明基板の少なくとも一部は、前記リフレクタよりも前記遊技機本体の中心側に配置され、
前記第２光源からの照明光は、前記第１光源からの照明光よりも前記遊技機本体の中心側に傾いた方向へ向けて出射されることを特徴とする遊技機。
【請求項２】
前記リフレクタは、前記第１照明基板から前記前面パネルへ向かうほど前記第１光源からの照明光の光路が前記遊技機本体の中心側へ拡大されるように、前記側壁が前記遊技機本体の中心側へ向けて拡大された拡大部を有する請求項１記載の遊技機。
【手続補正書】
【提出日】令和1年6月6日(2019.6.6)
【手続補正１】
【補正対象書類名】明細書
【補正対象項目名】００２９
【補正方法】変更
【補正の内容】
【００２９】
また、本発明の他の態様では、前記回路装置を含む移動体に関係する。
【手続補正書】
【提出日】令和1年5月17日(2019.5.17)
【手続補正１】
【補正対象書類名】明細書
【補正対象項目名】０１１０
【補正方法】変更
【補正の内容】
【０１１０】
このように、図１３の比較例では立ち下がりエッジ及び立ち上がりエッジを遅延可能となっている。しかしながら、各インバーターの高電位側電源と低電位側電源の両方にトランジスターが挿入されているので、その出力信号（ＸＯＵＴ、ＯＵＴ）の立ち下がりエッジ及び立ち上がりエッジがともになだらかに変化する。このように電圧レベルの遷移期間が長くなると、その信号が入力されるロジック回路（例えば遅延ユニットやインバーター、バッファー等）で遷移期間に流れる貫通電流が大きくなる可能性がある。
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
サイズの異なる複数の原稿を搬送する搬送手段と、
前記複数の原稿のそれぞれのサイズを検知する検知手段と、
前記搬送手段によって搬送された前記複数の原稿を読み取る読取手段と、
前記搬送手段によって搬送された前記複数の原稿の画像を複数の印刷用紙に印刷する印刷手段と、
前記読取手段によってサイズの異なる前記複数の原稿を読み取る原稿混載モードを設定する第１の設定手段と、
原稿のサイズと、当該原稿の画像が印刷される印刷用紙の用紙サイズとに基づいて変倍率を設定する変倍機能を有効に設定する第２の設定手段と、
前記第１の設定手段が前記原稿混載モードを設定し、前記第２の設定手段が前記変倍機能を設定していない場合に、ある原稿の搬送が完了する前に次の原稿を搬送するよう前記搬送手段を制御し、前記第１の設定手段が前記原稿混載モードを設定し、前記第２の設定手段が前記変倍機能を設定している場合に、ある原稿の搬送が完了してから次の原稿を搬送するよう前記搬送手段を制御する制御手段とを有することを特徴とする画像形成装置。
【請求項２】
前記第１の設定手段が前記原稿混載モードを設定し、前記第２の設定手段が前記変倍機能を有効に設定している場合に、前記検知手段によって検知される前記複数の原稿のそれぞれのサイズに基づく搬送速度で前記複数の原稿を搬送するよう制御することを特徴とする請求項１に記載の画像形成装置。
【請求項３】
前記第１の設定手段は、ユーザの操作に基づいて前記原稿混載モードを設定することを特徴とする請求項１または２に記載の画像形成装置。
【請求項４】
前記第２の設定手段は、ユーザの操作に基づいて前記変倍機能を有効に設定することを特徴とする請求項１乃至３のいずれか１項に記載の画像形成装置。
【請求項５】
前記画像形成装置は、ファクシミリ装置であることを特徴とする請求項１乃至４のいずれか１項に記載の画像形成装置。
【請求項６】
搬送手段がサイズの異なる複数の原稿を搬送する搬送工程と、
前記複数の原稿のそれぞれのサイズを検知する検知工程と、
前記搬送工程で搬送された前記複数の原稿を読み取る読取工程と、
前記搬送工程で搬送された前記複数の原稿の画像を複数の印刷用紙に印刷する印刷工程と、
前記読取工程でサイズの異なる前記複数の原稿を読み取る原稿混載モードを設定する第１の設定工程と、
原稿のサイズと、当該原稿の画像が印刷される印刷用紙の用紙サイズとに基づいて変倍率を設定する変倍機能を有効に設定する第２の設定工程と、
前記第１の設定工程で前記原稿混載モードが設定され、前記第２の設定工程で前記変倍機能が設定されていない場合に、ある原稿の搬送が完了する前に次の原稿を搬送するよう前記搬送手段を制御し、前記第１の設定工程で前記原稿混載モードを設定し、前記第２の設定工程で前記変倍機能が設定されている場合に、ある原稿の搬送が完了してから次の原稿を搬送するよう前記搬送手段を制御する制御工程と、
を有することを特徴とする画像形成装置の制御方法。
【請求項７】
請求項６に記載の制御方法をコンピュータに実行させることを特徴とするプログラム。
【手続補正２】
【補正対象書類名】明細書
【補正対象項目名】００１０
【補正方法】変更
【補正の内容】
【００１０】
本発明は、このような問題に鑑みてなされたものである。その目的とするところは、原稿混載モードが設定されている場合であっても、原稿のサイズと、当該原稿の画像が印刷される印刷用紙の用紙サイズとに基づいて変倍率を設定する変倍機能が有効に設定されているか否かによって原稿の搬送制御を行うことで、パフォーマンスの低下を抑制することが可能な仕組みを提供することにある。
【手続補正３】
【補正対象書類名】明細書
【補正対象項目名】００１１
【補正方法】変更
【補正の内容】
【００１１】
本発明は、サイズの異なる複数の原稿を搬送する搬送手段と、前記複数の原稿のそれぞれのサイズを検知する検知手段と、前記搬送手段によって搬送された前記複数の原稿を読み取る読取手段と、前記搬送手段によって搬送された前記複数の原稿の画像を複数の印刷用紙に印刷する印刷手段と、前記読取手段によってサイズの異なる前記複数の原稿を読み取る原稿混載モードを設定する第１の設定手段と、原稿のサイズと、当該原稿の画像が印刷される印刷用紙の用紙サイズとに基づいて変倍率を設定する変倍機能を有効に設定する第２の設定手段と、前記第１の設定手段が前記原稿混載モードを設定し、前記第２の設定手段が前記変倍機能を設定していない場合に、ある原稿の搬送が完了する前に次の原稿を搬送するよう前記搬送手段を制御し、前記第１の設定手段が前記原稿混載モードを設定し、前記第２の設定手段が前記変倍機能を設定している場合に、ある原稿の搬送が完了してから次の原稿を搬送するよう前記搬送手段を制御する制御手段と、を有することを特徴とする。
【手続補正４】
【補正対象書類名】明細書
【補正対象項目名】００１２
【補正方法】変更
【補正の内容】
【００１２】
本発明によれば、原稿混載モードが設定されている場合であっても、原稿のサイズと、当該原稿の画像が印刷される印刷用紙の用紙サイズとに基づいて変倍率を設定する変倍機能が有効に設定されているか否かによって原稿の搬送制御を行うことで、パフォーマンスの低下を抑制することができる。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
通信装置であって、
Neighbor Awareness Networking（NAN）に規定されるDiscovery Windowにおいて、所定のサービスを提供する他の通信装置を検出する検出手段と、
前記検出手段により検出された前記他の通信装置と通信パラメータの共有処理を行って、データリンクを確立する第1の確立手段と、
前記第1の確立手段により前記データリンクが確立される際に行われた前記共有処理により共有された前記通信パラメータを記憶する記憶手段と、
前記他の通信装置との間の前記データリンクを切断した後に、Discovery Windowにおいて前記他の通信装置を再検出した場合、前記共有処理を行うことなく、前記記憶手段に記憶された前記通信パラメータを用いて、前記他の通信装置とデータリンクを確立する第2の確立手段と、
を有することを特徴とする通信装置。
【請求項２】
前記検出手段は、前記他の通信装置から前記所定のサービスを探すための信号を受信することによって前記他の通信装置を検出することを特徴とする請求項１に記載の通信装置。
【請求項３】
前記検出手段は、前記所定のサービスを探すための信号を送信し、当該信号に対する応答信号を前記他の通信装置から受信することによって前記他の通信装置を検出することを特徴とする請求項１または２に記載の通信装置。
【請求項４】
前記第1の確立手段は、Wi-Fi Directに規定される処理に従って、前記他の通信装置との間でデータリンクを確立することを特徴とする請求項１から３のいずれか１項に記載の通信装置。
【請求項５】
前記通信装置がWi-Fi DirectにおけるGO（Group Owner）として動作中に、前記通信装置は、前記所定のサービスの情報を前記他の通信装置と通信する通信手段を更に有することを特徴とする請求項４に記載の通信装置。
【請求項６】
前記所定のサービスの情報を通信した後に受信した接続要求に応じて、前記所定のサービスの実行を開始する開始手段を更に有することを特徴とする請求項５に記載の通信装置。
【請求項７】
過去に実行されたサービスを識別する情報と当該サービスを実行するために使用された通信パラメータを識別する情報とを関連付けたリストを前記他の通信装置に送信する送信手段を更に有することを特徴とする請求項１から６のいずれか１項に記載の通信装置。
【請求項８】
前記リストを送信した後に前記他の通信装置から受信された情報に、通信パラメータを識別する情報が含まれる場合、前記通信装置は、Wi-Fi DirectにおけるGO（Group Owner）としての動作を開始することを特徴とする請求項７に記載の通信装置。
【請求項９】
前記通信装置は、Wi-Fi DirectにおけるCL（Client）として動作して、前記他の通信装置と前記データリンクを介した通信を行うことを特徴とする請求項１から４のいずれか１項に記載の通信装置。
【請求項１０】
P2P Invitation Requestを送信し、前記他の通信装置からP2P Invitation Responseを
受信した場合に、前記通信装置は、CLとしての動作を行うことを特徴とする請求項９に記載の通信装置。
【請求項１１】
前記通信装置がCLとして動作中に接続要求を前記他の通信装置に送信し、当該他の通信装置から当該接続要求を許可することを示す応答を受信した場合に、前記所定のサービスを実行する実行手段を更に有することを特徴とする請求項１０に記載の通信装置。
【請求項１２】
通信装置の制御方法であって、
Neighbor Awareness Networking（NAN）に規定されるDiscovery Windowにおいて、所定のサービスを提供する他の通信装置を検出する検出工程と、
前記検出工程において検出された前記他の通信装置と通信パラメータの共有処理を行って、データリンクを確立する第1の確立工程と、
前記第1の確立工程において前記データリンクが確立される際に行われた前記共有処理により共有された前記通信パラメータを記憶手段に記憶させる記憶工程と、
前記他の通信装置との間の前記データリンクを切断した後に、Discovery Windowにおいて前記他の通信装置を再検出した場合、前記共有処理を行うことなく、前記記憶手段に記憶された前記通信パラメータを用いて、前記他の通信装置とデータリンクを確立する第2の確立工程と、
を有することを特徴とする通信装置の制御方法。
【請求項１３】
コンピュータを、請求項１から１１のいずれか１項に記載の通信装置として機能させるためのプログラム。
【手続補正２】
【補正対象書類名】明細書
【補正対象項目名】０００８
【補正方法】変更
【補正の内容】
【０００８】
上記目的を達成するための手段として、本発明の通信装置は以下の構成を有する。すなわち、通信装置であって、Neighbor Awareness Networking（NAN）に規定されるDiscovery Windowにおいて、所定のサービスを提供する他の通信装置を検出する検出手段と、前記検出手段により検出された前記他の通信装置と通信パラメータの共有処理を行って、データリンクを確立する第1の確立手段と、前記第1の確立手段により前記データリンクが確立される際に行われた前記共有処理により共有された前記通信パラメータを記憶する記憶手段と、前記他の通信装置との間の前記データリンクを切断した後に、Discovery Windowにおいて前記他の通信装置を再検出した場合、前記共有処理を行うことなく、前記記憶手段に記憶された前記通信パラメータを用いて、前記他の通信装置とデータリンクを確立する第2の確立手段と、を有する。